(57)【特許請求の範囲】
【請求項１】
両端にネジ山を具えたロッド、及び該ロッドが通される二つのブロック体を具え、該ロッドの両端は、上下の二つの非円形管材内に設けられたネジ孔に螺接され、該二つのブロック体の断面形状は該管材内の孔径形状とほぼ同じとされ、これら二つのブロック体が、それぞれ一つの外凸縁により内端と外端に分けられ、該外凸縁の外径が該管材の外径と同じとされ、該ブロック体の外端が該管材内に嵌合可能とされて該管材と同期に回転可能とされ、そのうち一つのブロック体の内端に、形状、外径が管材と同じスリーブリングが套設され、該スリーブリングがこの二つのブロック体の内端に套設され、該二つのブロック体を上下に整合する状態に制定することを特徴とする、非円形管の線形連接手段。
【請求項２】
前記連接手段に二つのストッパが設けられて、二つのブロック体の脱出を防止することを特徴とする、請求項１に記載の非円形管の線形連接手段。
【請求項３】
前記非円形管の両端内部にネジ孔を有する内側キャップが固定されて、前記連接手段の両端のネジ山と螺合することを特徴とする、請求項１に記載の非円形管の線形連接手段。
【請求項４】
前記二つのブロック体のうち一つのブロック体の内端上面に二つ以上の等高の凸足が設けられたことを特徴とする、請求項１に記載の非円形管の線形連接手段。
【発明の詳細な説明】
【０００１】
【発明の属する技術分野】
本発明は一種の非円形管の線形連接手段に係り、特に、非円形管を上下に連接するのに用いられ、且つ連接後の管材を上下に整合させ、角度上の偏差を発生させない、非円形管の線形連接手段に関する。
【０００２】
【従来の技術】
工具不要で組み立てられる組立式ラックは、消費者に最も簡単に組み立てられるラックとして受け入れられている。そのうち、外表面に若干の環状溝を具えた竹節式管材を支柱とするものが、最も普及している。米国特許第５，６７６，２６３号、５，３０３，６４５号、５，１７４，６７６号、４，９９１，７２５号、４，７９９，８１８号、４，５９５，１０７号、４，５４６，８８７号、４，７６３，７９９号に記載のラックは、このような竹節式管材をラックの支柱とした発明である。
【０００３】
このラックの支柱は、包装に便利であるように、設計上、上下の管材に連接可能な方式が採用され、これによりラックの支柱を上向きに延伸可能で、高さの比較的高いラックを組み立てることができる。例えば米国特許第５，６７６，２６３号がこれに該当する。現在市場には工具レスで組み立てられる組立式ラックがあり、それは、支柱の竹節式管材がいずれも円形管とされ、ゆえに前述の米国特許第５，６７６，２６３号中に提示された連接手段により上下の管材が連接される。もしラックの支柱の管材が非円形管であれば、即ち上下を螺設する時に、上下の管材を整合させることができなくなる。
【０００４】
【発明が解決しようとする課題】
本発明は、一種の非円形管の線形連接手段を提供し、それは上下の管材を連接後に、上下の管材を整合させる効果を有し、連接後の全体の非円形管を均一とし外観を良くすることができるものとする。
【０００５】
【課題を解決するための手段】
請求項１の発明は、両端にネジ山を具えたロッド、及び該ロッドが通される二つのブロック体を具え、該該ロッドの両端は、上下の二つの非円形管材内に設けられたネジ孔に螺接され、該二つのブロック体の断面形状は該管材内の孔径形状とほぼ同じとされ、これら二つのブロック体が、それぞれ一つの外凸縁により内端と外端に分けられ、該外凸縁の外径が該管材の外径と同じとされ、該ブロック体の外端が該管材内に嵌合可能とされて該管材と同期に回転可能とされ、そのうち一つのブロック体の内端に、形状、外径が管材と同じスリーブリングが套設され、該スリーブリングがこの二つのブロック体の内端に套設され、該二つのブロック体を上下に整合する状態に制定することを特徴とする、非円形管の線形連接手段としている。
請求項２の発明は、前記連接手段に二つのストッパが設けられて、二つのブロック体の脱出を防止することを特徴とする、請求項１に記載の非円形管の線形連接手段としている。
請求項３の発明は、前記非円形管の両端内部にネジ孔を有する内側キャップが固定されて、前記連接手段の両端のネジ山と螺合することを特徴とする、請求項１に記載の非円形管の線形連接手段としている。
請求項４の発明は、前記二つのブロック体のうち一つのブロック体の内端上面に二つ以上の等高の凸足が設けられたことを特徴とする、請求項１に記載の非円形管の線形連接手段としている。
【０００６】
【発明の実施の形態】
本発明は一種の非円形管の線形連接手段を提供し、それは、両端にネジ山を具えたロッド、及び該ロッドを挿入する二つのブロック体を具えている。該ロッドの両端は、上下の二つの管材内に設けられたネジ孔に螺接される。該二つのブロック体の断面形状は管材内の孔径形状とほぼ同じとされ、且つその外端が該管材内に挿入される。そのうち一つのブロック体の内端に、形状、外径が管材と同じスリーブリングが套設され、該スリーブリングがこの二つのブロック体の内端に套設され、該二つのブロック体を上下に整合する状態に制定する。
【０００７】
本発明は一種の非円形管の線形連接手段を提供し、そのうち、該ブロック体が、一つの外凸縁により内端と外端とに分けられ、該外凸縁の外径が管材と同じとされる。
【０００８】
本発明は一種の非円形管の線形連接手段を提供し、該連接手段の連接する管材の両端に、ネジ孔を具えた内側キャップが嵌設され、該連接手段のロッドが該内側キャップのネジ孔に螺合されることにより、管材と連接手段が連接される。
【０００９】
【実施例】
本発明は一種の非円形管の線形連接手段に係り、図１、２に示されるように、該連接手段１は、両端にネジ山１１を具えたロッド１０と、該ロッド１０が通される二つのブロック体２０、３０を具えている。該ロッド１０の両端は、上下二つの管材４０内に設けられたネジ孔４２に螺設される。該二つのブロック体２０、３０の断面形状は、管材４０内の孔径形状と相似であり、一つの外凸縁２１、３１により内端２２、３２と外端２３、３３に分けられている。該外凸縁２１、３１の外径は該管材４０の外径と同じとされる。該ブロック体２０、３０の外端が該管材４０内に挿入されて、該管材４０と同期に回転可能とされる。そのうち一方のブロック体２０の内端２２に、形状、外径が管材４０と同じスリーブリング５０が套設され、該スリーブリング５０が該二つのブロック体２０、３０の内端２２、３２に套設されることにより、該二つのブロック体２０、３０が上下に整合する状態に制定される。
【００１０】
上述の連接手段１は、二つのストッパ１２、１３により該二つのブロック体２０、３０の脱出を防止する。そのうち一つのストッパ１２はロッド１０と一体に形成され、もう一つのストッパ１３はＣ形スナップリングとされてロッド１０に設けられた嵌め溝１４内に嵌め込まれる。
【００１１】
該連接手段１が連接する管材４０は図３に示されるように非円形管とされる。該管材４０の両端内部にはネジ孔４２を具えた内側キャップ４１が固定され、該ネジ孔４２が連接手段１のロッド１０の両端のネジ山１１と螺合することにより、管材４０が連接手段１と連接される。
【００１２】
本発明を操作する時は、まず、連接手段１のロッド１０の両端を上下の管材４０と螺合し、続いて二つのブロック体２０、３０の外端２３、３３をそれぞれ対応する管材４０内に嵌め込み、二つのブロック体２０、３０と二つの管材４０を同期に回転させる。二つのブロック体２０、３０の内端２２、３２が相互に緊迫作用を発生する時、即ち最も緊密な締めつけ状態を示す。この時、上下の管材４０は非整合の状態である。さらに二つの管材４０を回して緩める方式で、わずかに回転させて上下を整合した状態とする。このとき二つのブロック体２０、３０の間は依然として相互に圧迫する状態にある。続いて、一つのブロック体２０の内端２２のスリーブリング５０にもう一つのブロック体３０の内端３２を嵌め込み、二つのブロック体２０、３０に対して制定作用を発生させるると共に、二つの管材４０を上下に整合した状態に制定する。これは図４に示されるとおりである。実際の操作時には、スリーブリング５０を嵌めたブロック体２０の位置は、もう一つのブロック体３０の位置より高くして、スリーブリング５０を二つのブロック体２０、３０の内端２２、３２に套設した後に、重力の関係により、スリーブリング５０を自動的に上昇しないようにすることができる。
【００１３】
上述の二つのブロック体２０、３０のうち一つのブロック体２０の内端２２の上面に二つ以上の等高の凸足２４が設けられ、二つのブロック体２０、３０が相互に圧迫する時の摩擦抵抗が過大とならないようにしている。該スリーブリング５０の前後の外壁には１本以上の凸条５１が設けられ、使用者が手でスリーブリング５０を挟持しやすくしている。また、各凸条５１の内面に凹溝５２が形成されている。該ブロック体２０の内端２２の前後の外壁にそれぞれ一つの凸条２５が設けられ、該凸条２５は該スリーブリング５０内壁の最外端の凹溝５２内に嵌合し、これによりスリーブリング５０が容易に該ブロック体２０に位置決めされ、任意に滑り落ちることがない。また、該スリーブリング５０の高度と該ブロック体２０、３０の内端２２、３２の高度は同じで、且つもう一つのブロック体３０の内端３２の高度に該凸足２４を加えた高度より大きく、これによりスリーブリング５０が同時に二つのブロック体２０、３０の内端２２、３２に套設可能とされる。
【００１４】
【発明の効果】
総合すると、本発明の提供する非円形管の線形連接手段は、その構造が簡単で、操作に便利であり、非円形管の上下整合の連接効果を達成することができる。ゆえに、本発明の提示する構造は全ての非円形管の線形連接手段として運用され、非円形管の利用価値を高め、さらに、組立式ラックの支柱形状の多重の選択を可能とする。
【図面の簡単な説明】
【図１】本発明の分解斜視図である。
【図２】本発明の斜視図である。
【図３】本発明と管材の連接の分解斜視図である。
【図４】本発明と管材の連接の断面図である。
【符号の説明】
１  連接手段
１０  ロッド
１１  ネジ山
１２  ストッパ
１３  ストッパ
１４  嵌め溝
２０  ブロック体
２１  外凸縁
２２  内端
２３  外端
２４  凸足
２５  凸条
３０  ブロック体
３１  外凸縁
３２  内端
３３  外端
４０  管材
４１  内側キャップ
４２  ネジ孔
５０  スリーブリング
５１  凸条
５２  凹溝
【図１】
0003542567.tif 000002
【図２】
0003542567.tif 000003
【図３】
0003542567.tif 000004
【図４】
0003542567.tif 000005